(57)【特許請求の範囲】
【請求項１】
外部から印字コマンドを受信する通信インターフェイスと、
前記通信インターフェイスで受信した印字コマンドにより印字バッファに展開された印字データをラベルに印字する印字部と、
前記展開した印字データのプレビューと、該印字データの印字に関する事項を調整するための調整画面と、前記調整画面を選択するための複数の選択キーと、を同一画面上に表示する表示器と、
前記表示器に表示された印字データの印字に関する事項を調整するための情報を入力する入力手段と、
前記入力手段で入力された情報に基づいて、印字データの印字に関する事項を調整する調整手段と、を備え、
前記調整画面は複数あり、
前記複数の選択キーは、それぞれ、複数ある前記調整画面のいずれかに対応しており、
前記表示器は、前記複数の選択キーのいずれかが選択された場合に、前記プレビューに加えて、選択された選択キーに対応する前記調整画面を前記プレビューが表示された領域とは異なる領域に表示し、
前記複数の調整画面には、少なくとも前記印字データ全体の濃度を調整するための画面が含まれ、
前記入力手段は、前記ラベルに印字される前記印字データ全体の濃度を調整するための情報を入力するものであり、
前記調整手段は、前記入力手段で入力された濃度に応じて前記印字部で印字する濃度を調整する、
ラベルプリンタ。
【請求項２】
前記印字部で印字する印刷媒体は台紙に複数のラベルを台紙の長手方向に並べて貼付したラベル用紙からなり、
前記複数の隣り合うラベル間をカットするカッタ部をさらに備え、
前記入力手段は、前記カッタ部で台紙をカットする位置を前記ラベルの台紙の長手方向に沿った方向に調整するためのカット位置情報を入力し、
前記調整手段は、前記入力手段で入力されたカット位置情報に応じて前記印刷媒体を切断する切断位置を調整する
請求項１記載のラベルプリンタ。
【請求項３】
前記印字部で印字する印刷媒体は台紙に複数のラベルを台紙の長手方向に並べて貼付したラベル用紙からなり、
前記台紙を鋭角に曲げることにより前記ラベルを前記台紙から剥離する剥離機構をさらに備え、
前記入力手段は、前記剥離機構で先端から剥離されたラベルの後端部が前記台紙についたまま搬送を停止される停止位置の情報を入力し、
前記調整手段は、前記入力手段で入力された停止位置に応じて用紙の停止位置を調整する
請求項１記載のラベルプリンタ。
【請求項４】
前記表示器は、情報が入力可能なタッチパネルであり、
前記入力手段は、前記表示器から情報を入力する
請求項１記載のラベルプリンタ。
【発明の詳細な説明】
【技術分野】
【０００１】
本発明の実施形態は、上位機から印字データを受け取り用紙に印字するプリンタに関する。
【背景技術】
【０００２】
例えば、パソコンなどの上位機で作成したデータをプリンタに送信して、用紙に印字している。用紙に印字する前にパソコンの画面に印刷した場合の結果を表示する印刷プレビューという機能を備えたものが存在する。この印刷プレビューでは、パソコンで動作するアプリケーションプログラムが印字データをバッファに展開して画面に表示している。また、パソコンから印字データをプリンタに送信して、プリンタで印字を行なう。
【０００３】
一方、プリンタはコマンドで印字データを受け取り、この受け取ったコマンドを解析して、プリンタの印字バッファに印字データをビットマップデータに展開して、用紙に印字するものがある。例えば、バーコードなどの通常のパソコン等に設けられていない文字や特殊なコードを印刷するプリンタにおいて、パソコンからプリンタにコマンドでデータを送り、プリンタで印字データを展開するようにしたものが多い。
【先行技術文献】
【特許文献】
【０００４】
【特許文献１】特開２００２−８２９３３号公報
【発明の概要】
【発明が解決しようとする課題】
【０００５】
パソコンからコマンドを受け取って、このコマンドに基づいてプリンタでビットマップデータに展開した場合には、どのように印字されるかがパソコンの画面では印字の前にはわからないため、とりあえず印字を行なって、その印字した結果を見てパソコンで印字位置を修正し、あらためてコマンドを送信する必要があり、非常に手間がかかるとともに、用紙の無駄も発生してしまう。また、パソコンからコマンドを再送しているために、コマンドを送信するための時間が必要となる。
【課題を解決するための手段】
【０００６】
このため、この実施の形態では、外部から印字コマンドを受信する通信インターフェイスと、前記通信インターフェイスで受信した印字コマンドにより印字バッファに展開された印字データをラベルに印字する印字部と、前記展開した印字データのプレビューと、該印字データの印字に関する事項を調整するための調整画面と、前記調整画面を選択するための複数の選択キーと、を同一画面上に表示する表示器と、前記表示器に表示された印字データの印字に関する事項を調整するための情報を入力する入力手段と、前記入力手段で入力された情報に基づいて、印字データの印字に関する事項を調整する調整手段と、を備え、前記調整画面は複数あり、前記複数の選択キーは、それぞれ、複数ある前記調整画面のいずれかに対応しており、前記表示器は、前記複数の選択キーのいずれかが選択された場合に、前記プレビューに加えて、選択された選択キーに対応する前記調整画面を前記プレビューが表示された領域とは異なる領域に表示し、前記複数の調整画面には、少なくとも前記印字データ全体の濃度を調整するための画面が含まれ、前記入力手段は、前記ラベルに印字される前記印字データ全体の濃度を調整するための情報を入力するものであり、前記調整手段は、前記入力手段で入力された濃度に応じて前記印字部で印字する濃度を調整する、ラベルプリンタとした。
【図面の簡単な説明】
【０００７】
【図１】この実施の形態のラベルプリンタ全体を示す図。
【図２】ラベルプリンタの印字ブロック図。
【図３】ラベルプリンタが実行する処理を示すフローチャートを示す図。
【図４】ラベルプリンタが実行する処理を示すフローチャートを示す図。
【図５】ラベルプリンタが実行する処理を示すフローチャートを示す図。
【図６】ラベルプリンタが実行する処理を示すフローチャートを示す図。
【図７】ラベルプリンタが実行する処理を示すフローチャートを示す図。
【図８】ラベルプリンタが実行する処理を示すフローチャートを示す図。
【図９】ラベルプリンタのプレビュー表示を示す図。
【図１０】ラベルプリンタの調整画面表示を示す図。
【図１１】ラベルプリンタの印字位置調整画面表示を示す図。
【図１２】ラベルプリンタの濃度調整画面表示を示す図。
【図１３】ラベルプリンタの印字サイズ調整画面表示を示す図。
【図１４】ラベルプリンタのカット位置調整画面表示を示す図。
【発明を実施するための形態】
【０００８】
以下、図１ないし図４を用いて、第１の実施の形態を説明する。
【０００９】
図１は、この実施の形態のラベルプリンタ１全体を示す図である。図２は、ラベルプリンタ１の印字ブロック図である。図３ないし図８は、このラベルプリンタ１が実行する処理を示すフローチャートである。図９ないし図１４は、このラベルプリンタ１が表示する画面の例を示す図である。
【００１０】
この実施の形態は、ラベル用紙２にサーマルヘッド３で印字するラベルプリンタ１に適用したものである。ラベル用紙２は、台紙４に多数のラベル５が所定間隔をあけて貼り付けられたもので、ラベル用紙２はロール状に巻回されてラベルプリンタ１に設けた用紙保持部６で支持されている。ラベル用紙２は、サーマルヘッド３に対向するプラテンローラ７の回転によって搬送される。ここで、サーマルヘッド３とプラテンローラ７で印字部８を構成する。印字部８とロール保持部６との間には、台紙４のラベル５がある部分とラベル５がない部分の光の透過量の違いから、ラベル５の印字位置を決めるための用紙センサ９が設けられている。この用紙センサ９は、発光素子と受光素子とからなり、これらの素子が用紙を挟むように対向して配置される。また、ラベル用紙２の用紙搬送方向下流側には用紙排出口１０が設けられている。用紙排出口１０には、用紙排出口１０から排出された用紙をラベル５間の台紙４部分でカットするためのカッタ部１１が取り付けられている。カッタ部１１は公知のものであるので、詳細な説明は省略する。カッタ部１１が設けられたラベルプリンタ１の正面上方には、各種情報を表示する液晶で構成された表示器１２が設けられている。なお、用紙センサ９は、発光素子と受光素子がラベル用紙２に対して同じ側に並べて設けられ、ラベル５と台紙４との光の反射率の違いからラベル５を検出する反射型の光センサとしても良い。
【００１１】
このラベルプリンタ１の後述する制御を行なう制御部について、説明する。このラベルプリンタ１は、ＣＰＵ（Ｃｅｎｔｒａｌ  Ｐｒｏｃｅｓｓｉｎｇ  Ｕｎｉｔ）２１にバスライン２２を介して、ＲＯＭ（Ｒｅａｄ  Ｏｎｌｙ  Ｍｅｍｏｒｙ）２３、ＲＡＭ（Ｒａｎｄｏｍ  Ａｃｃｅｓｓ  Ｍｅｍｏｒｙ）２４、モータ制御部２５、ヘッド制御部２６、タッチパネル制御部２７、センサ制御部２８、カッタ制御部２９、通信インターフェイス（図面では「通信Ｉ／Ｆ」と示す）３０が接続されている。
【００１２】
ＲＯＭ２３には、後述する各処理を行なうプログラムなどが記憶されている。ＲＡＭ２４には、プログラムが処理を実行するために必要なデータを一時的に保存するワークエリアや、印字データを展開して記憶する描画エリアなどが設けられている。さらにＲＡＭ２４には、後述するようなエリアが設けられている。モータ制御部２５は、プラテンローラ７を回転駆動するためのステッピングモータ３１を制御する。ヘッド制御部２６は、サーマルヘッド３を制御する。タッチパネル制御部２７は、前述した表示器１２の表示の制御を行うとともに、表示器１２からタッチ入力された情報の取り込みを行なう。センサ制御部２８は、用紙センサ９の制御を行なう。カッタ制御部２９は、カッタ部１１の制御を行なう。通信インターフェイス３０は、上位機としてのパソコン３２とＬＡＮ（Ｌｏｃａｌ  Ａｒｅａ  Ｎｅｔｗｏｒｋ）回線３３などで接続され、ラベルプリンタ１はパソコン３２からの印字コマンドに基づいて、描画エリアにビットマップデータを展開して、このビットマップデータをラベル用紙２に印字する。
【００１３】
ＲＡＭ２４には、前述したワークエリア、描画エリア以外に、このラベルプリンタ１が処理を実行するために必要な次のエリアが設けられている。すなわち、各印字の項目ごとに印字位置を記憶するエリア、濃度を記憶するエリア、各印字の項目ごとに印字サイズを記憶するエリア、ラベル用紙２のカット位置を記憶するエリアが設けられている。ここで、印字項目とは、エリアで指定される文字列あるいはバーコードなどのシンボルのことであり、例えば印字位置とそのサイズ、印字する文字のフォントやバーコードの種類などから決められるものである。
【００１４】
次に、このラベルプリンタ１が実行する処理を説明する。図３は、このラベルプリンタ１が電源を投入されて初期化が終わった後の処理である。まず、パソコン３２からデータを受けたか否かを判断し（Ａｃｔ１）、データを受信するまでＡｃｔ１のデータ受信を繰り返す。データを受信したならば印字コマンドであるか否かを判断し（Ａｃｔ２）、印字コマンドでなければ他の処理を実行して（Ａｃｔ３）、次のデータ受信を待つ。印字コマンドを受けたならば、描画エリアに印字するビットマップデータを描画して（Ａｃｔ４）、表示器１２にこの描画した印字イメージをプレビューとして表示するとともに、同じ表示器１２にプレビューしたビットマップデータの印字に関する情報を調整するためにキーを表示する（Ａｃｔ５）。この表示された画面の例を図９に示す。この画面では、表示領域の３分の２を占める程度の大きさで印字内容のプレビュー４１を表示し、画面の下端にプリントキー４２（図では「Ｐｒｉｎｔ」と表示）、調整キー４３（図では「Ａｄｊｕｓｔ  ｓｅｔ」と表示）、ＵＰキー４４、ＤＯＷＮキー４５が表示される。
【００１５】
画面を表示したならば、プリントキー４２が操作されたか否かを判断し（Ａｃｔ６）、プリントキー４２が押されたならばプラテンローラ７を回転駆動しながらサーマルヘッド３によって印字を行ない（Ａｃｔ７）、カット位置までラベル用紙２を搬送して、カッタ部１１でカットする（Ａｃｔ８）。Ａｃｔ６でプリントキー４２が操作されていないと判断したならば、調整キー４３が操作されたか否かを判断し（Ａｃｔ９）、調整キー４３で無ければＡｃｔ１の処理に戻り、調整キー４３が押されたならば、調整処理を実行する（Ａｃｔ１０）。
【００１６】
ところで、印字コマンドには、ラベルの左上を原点とした座標で示される各印字項目の印字位置、各印字項目の文字明朝、ゴシックなどの種別、またはコードの種類（バーコードの場合に、コード３９やＪＡＮコードなど）、各印字項目のＸ方向およびＹ方向の長さからなるサイズが含まれている。
【００１７】
調整処理は、図４に示すようにまず調整画面を表示器１２に表示する（Ａｃｔ２１）。この画面を図１０に示す。この図では、図９に表示されたものに加えて、印字位置キー４６（図では「Ｐｒｉｎｔ  Ｐｏｓｉｔｉｏｎ」と表示）、濃度調整キー４７（図では「Ｄｅｎｓｉｔｙ」と表示）、サイズキー４８（図では「Ｐｒｉｎｔ  Ｓｉｚｅ」と表示）、カット位置キー４９（図では「Ｃｕｔ  Ｐｏｓｉｔｉｏｎ」と表示）が表示される。
【００１８】
そして、印字位置キー４６が押されたら（Ａｃｔ２２）、図５に示す印字位置処理を行なう（Ａｃｔ２３）。濃度キー４７が押されたら（Ａｃｔ２４）、図６に示す濃度処理を行なう（Ａｃｔ２５）。印字サイズキー４８が押されたら（Ａｃｔ２６）、図７に示す印字サイズ処理を行なう（Ａｃｔ２７）。カット位置キー４９が押されたら（Ａｃｔ２８）、図８に示すカット位置処理を行なう（Ａｃｔ２９）。また、プリントキーが押されたなら、調整処理を抜けて図３に示すＡｃｔ８の印字を行なう処理に戻って処理続ける。
【００１９】
印字位置処理は、図５に示すように印字位置調整表示を行う（Ａｃｔ３１）。図１１には、印字位置の調整中の画面を示す。この画面で分かるように、図９のプレビュー画面の表示内容に加えて、印字位置調整画面であることが分かるようにした表示領域５０、Ｘ方向（図面で左右方向）の調整量を示す領域５１、Ｙ方向（画面で上下方向）の調整量を示す領域５２が表示される。また、後述するが指定された印字項目５３が赤い枠で囲われて表示される。
【００２０】
表示が行われた後に印字項目５３が指定されたか否かを判断し（Ａｃｔ３２）、印字項目５３が指定されればその印字項目５３が指定されたことがわかるように赤い枠で囲む（Ａｃｔ３３）。なお、選択された印字項目５３は、文字と背景を反転して表示することも可能である。次に、印字項目５３を移動する方向を設定するためにＸキーが押されたか否かを判断し（Ａｃｔ３４）、Ｘキーが押されたならばＸ欄にカーソルを点滅させてＸ方向の設定であることを表示する（Ａｃｔ３５）。また、Ｙキーが押されたか否かを判断し（Ａｃｔ３６）、Ｙキーが押されたならばＹ欄にカーソルを点滅させてＹ方向の設定であることを表示する（Ａｃｔ３７）。なお、Ｘキー、Ｙキーの入力は、Ｘキー、Ｙキーが入力される前に印字位置を調整する印字項目５３が選択されていなければ無視される。
【００２１】
次に、ＵＰキーが入力されたか否かを判断し（Ａｃｔ３８）、ＵＰキーが入力されれば、Ｘ方向が指定されていればＸ欄の、Ｙ方向が指定されていればＹ欄の数字に「１」を加算する（Ａｃｔ３９）。また、ＤＯＷＮキーが入力されたか否かを判断し（Ａｃｔ４０）、ＤＯＷＮキーが入力されれば、Ｘ方向が指定されていればＸ欄の、Ｙ方向が指定されていればＹ欄の数字に「１」を減算する（Ａｃｔ４１）。なお、Ｘ方向またはＹ方向のいずれかが指定されていなければ、ＵＰキーまたはＤＯＷＮキーの入力は無視される。図１１では、右側にあるバーコードの印字項目５３がＹ方向に５０の長さ分マイナス方向（つまり、画面の下方向）に移動した例である。図９のプレビュー画面と比べると、この印字項目５３が下にずれていることが分かる。また、Ｘ方向、Ｙ方向の調整量は０．１ミリ単位で行なうことができる。図１１では該当の印字項目５３を下方向に５ミリ調整した状態を示す。
【００２２】
この処理の実行中にプリントキーが押されたならば（Ａｃｔ４２）、この印字位置処理を抜けて図３のＡｃｔ７の印字を行なう処理から実行する。さらには、調整キーが押されたならば（Ａｃｔ４３）、設定された印字位置を保存して（Ａｃｔ４４）、この処理を終了する。
【００２３】
濃度処理に入ると、図６に示すように表示器１２に濃度調整の表示を行う（Ａｃｔ５１）。図１２は、濃度調整画面である。図９のプレビュー画面の表示内容に加えて、濃度調整画面であることが分かるようにした表示領域５４と濃度の調整量を示す領域５５が表示される。なお、この濃度の調整は、これから印字するラベル１枚分のすべての濃度の調整であって、印字項目５３ごとに濃度を調整するものではない。
【００２４】
この画面が表示された後にＵＰキーが押されると（Ａｃｔ５２）、濃度を「１」加算する（Ａｃｔ５３）。なお、この濃度は、サーマルヘッド３に印加する通電時間を変えることで調整されるものである。ＤＯＷＮキー４５が押されると（Ａｃｔ５４）、濃度を「１」減算する。（Ａｃｔ５５）。また、プリントキーが押されたならば（Ａｃｔ５６）、この印字位置処理を抜けて図３のＡｃｔ７の印字を行なう処理から実行する。さらには、調整キーが押されたならば（Ａｃｔ５７）、設定された濃度を保存して（Ａｃｔ５８）、この処理を終了する。
【００２５】
図１２の画面は、濃度を−１０としたものである。この濃度の調整量は、このラベルプリンタ１で設定可能な最小単位の調整量毎に可能である。ところで、表示器１２に濃度の変化を表すことが難しいので、濃度変化の代わりに色を少しずつ薄くするようにしてもいい。つまり、モノクロで印字するプリンタあれば、表示される文字や線が、ＤＯＷＮキー４５が押される毎に少しずつ白が増し、ＵＰキー４４が押される毎に少しずつ黒くなるように表示する。
【００２６】
図４に示すＡｃｔ２７から図７に示すサイズ処理に入ると、表示器１２にサイズ調整画面を表示する（Ａｃｔ６１）。図１３サイズ設定の画面である。図９のプレビュー画面の表示内容に加えて、印字サイズの調整画面であることが分かるようにした表示領域５６と選択された印字項目５３の印字サイズの調整量を示す領域５７が表示される。なお、印字サイズの調整は、選択された印字項目５３の受信したデータのサイズからどのくらい大きくするかあるいは小さくするかの割合を百分率で示すものである。
【００２７】
表示がされた後に、サイズを変更する印字項目５３が指定されたか否かが判断され（Ａｃｔ６２）、印字項目５３が指定されればその選択された印字項目５３がわかるように赤線などで囲まれた表示になる（Ａｃｔ６３）。次に、ＵＰキーが入力されたか否かを判断し（Ａｃｔ６４）、ＵＰキーが入力されれば、サイズを「１」を加算する（Ａｃｔ６５）。また、ＤＯＷＮキーが入力されたか否かを判断し（Ａｃｔ６６）、ＤＯＷＮキーが入力されれば、サイズを「１」を減算する（Ａｃｔ６７）。印字項目５３の指定がなされてなければ、ＵＰキーまたはＤＯＷＮキーの入力は無視される。また、プリントキーが押されたならば（Ａｃｔ６８）、この印字位置処理を抜けて図３のＡｃｔ７の印字を行なう処理から実行する。さらには、調整キーが押されたならば（Ａｃｔ６９）、設定された印字項目５３のサイズを保存して（Ａｃｔ７０）、この処理を終了する。図１３は、「ＡＢＣ」という指定された印字項目５３の文字列を２０％小さくしたことを示すものである。
【００２８】
図８に示すカット位置調整の処理に入ると、まずカット位置調整の表示が表示器１２に表示される（Ａｃｔ８１）。図１４はカット位置の調整画面である。図９のプレビュー画面に加えて、カット位置の調整画面であることが分かるようにした表示領域５９とカット位置の調整量を示す領域６０が表示される。さらには、プレビュー画面の中に、カットされる位置を示すマーク６１と次に印字されるラベル５の先端６２が表示される。このカット位置は、パソコン３２から送られてきたラベルの情報に含まれるラベル長さとラベル間の長さから表示が行われ、初期データとして隣り合う２枚のラベルのちょうど中間地点がカットされるようにしてある。また、調整は０．１ミリ単位で設定可能で、数値が大きくなるとこれから印字するラベル５に近づいた位置で台紙４をカットし、数値がマイナスになると次のラベル５の先端６２に近づいた位置にカット位置が調整される。
【００２９】
表示がなされた後にＵＰキーが押されたか否かを判断し（Ａｃｔ８２）、ＵＰキーが押されたならばカット位置を「１」加算する（Ａｃｔ８３）。ここで、カット位置の数値が大きくなるにつれて、現在印字しようとしているラベル５に近づいた位置で台紙４がカットされる。ＤＯＷＮキーが押されたか否かを判断し（Ａｃｔ８４）、ＤＯＷＮキーが押されたならばカット位置を「１」減算する（Ａｃｔ８５）。また、プリントキーが押されたならば（Ａｃｔ８６）、この印字位置処理を抜けて図３のＡｃｔ７の印字を行なう処理から実行する。さらには、調整キーが押されたならば（Ａｃｔ８７）、設定されたカット位置を保存して（Ａｃｔ８８）、この処理を終了する。
【００３０】
上記実施の形態では、ラベル５間の台紙４のみの部分をカッタ部でカットするラベルプリンタ１で説明したが、ラベルプリンタの排紙口付近で台紙からラベルを剥離して、用紙排紙口１０からラベル５を突出させて発行するものが知られている。剥離を行なうためには、印字された搬送中のラベル自体の腰の強さによってラベルが直進する力を利用して、台紙のみを鋭角に曲げてラベルを台紙から剥がすことが一般的である。このためには、上述した実施の形態に比較して、カッタ部が不要になるとともに、台紙を急激に曲げるための剥離部および台紙が張られた状態で搬送されるようにする台紙の搬送部を設ける。
【００３１】
また、剥離したラベルの後端が台紙に貼りついた状態で、ラベル用紙の搬送を止める。これは、ラベルが台紙から完全に剥がれてしまうと、ラベルがプリンタのケースや床などに貼り付いて、印字発行したラベルが使えなくなってしまうためである。一方、ラベルが台紙に貼り付いている量が多すぎると、そのラベルを台紙から剥がすための力が大きくなり、作業性が悪くなる。このため、ラベルが台紙に貼り付いている量を調整することが大事になる。また、ラベルの大きさやラベル自体の厚さによっても、剥離位置を調整したほうが好ましい。つまり、ラベルの大きさが大きければ、剥離された部分の重さのために人がラベルを取り去ることなくラベル自身の重みで垂れ下がり、落下してしまうことがある。そこで、後端の台紙に貼り付いている部分を大きくすることで、粘着力が大きくなるので、ラベル自身の重みで剥がれることが少なくなる。
【００３２】
調整位置の設定は、カッタ部でのカット量を調整する方法と大きく変わらない。図１４の切断位置を示すマーク６１次のラベルの先端６２は表示せずに、剥離部で剥離が行われる部分と剥離されるラベルの後端が表示されればいい。剥離部の位置はその位置が固定されているので、用紙の搬送量を調整することで、ラベル剥離位置の調整が可能である。
【００３３】
このように、このラベルプリンタ１では、受信した印字コマンドを解析して、このラベルプリンタ１で描画エリアに描画して印字する。また、印字に際して表示器１２にラベルを印刷するためのプレビューが表示される。操作者は、この
プレビュー画面を見て、印字する各項目の印字位置、印字濃度、印字サイズ、カット位置でいいか否かを判断できる。また、印字開始も、各調整の最中にプリントキーを押すだけで行なうことができるので、調整が終わった後の印字が簡単に行なえる。
【００３４】
また、プレビューが表示されているラベルプリンタ１の表示器１２を見ながら、その表示された画面で印字位置などを調整できるので、プレビュー画面から設定画面に移動しなくてもよいため、操作が簡単であるだけでなく、その調整自体が確実に行なえる。また、プレビューを表示するデータは描画エリアに描画したデータをそのまま用いているため、プレビューを表示するため情報を記憶するエリアを別途設ける必要がない。
【００３５】
この実施の形態では、ラベルプリンタを例にしたが、印字する各項目の印字位置を決めて印字を行なうようにしたプリンタであれば、適用できる。例えば、連続用紙にブラックマークで区切りが設けられたような用紙に対しても採用可能である。サーマルヘッドでなく他の印字ヘッドを採用したプリンタにも適用可能である。
【００３６】
また、印字位置、濃度、印字サイズ、カット位置を調整するためのキーは、この実施の形態ではタッチパネルとすることで、他のキーを設けることがキーを設けることが不要となっているが、表示器１２の近傍に小さめのキーを複数も受けて入力させるようにしてもよい。この場合に、表示器はタッチパネルである必要はない。
【００３７】
この実施の形態では、印字コマンドを受信したならば、ビットマップデータに展開したプレビューを表示器１２に表示させることで説明したが、例えば印字フォーマットが変わったときだけプレビューを表示させて、印字フォーマットが変わらなければプリントキー４２が押されなくても印字するようにしてもよい。
【００３８】
このように、上記の実施の形態例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１・・ラベルプリンタ
８・・印字部
１１・・カッタ部
１２・・表示器
３０・・通信インターフェイス
４１・・プレビューキー
４２・・印字キー
５３・・印字項目
【図１】
0005774533.tif 000002
【図２】
0005774533.tif 000003
【図３】
0005774533.tif 000004
【図４】
0005774533.tif 000005
【図５】
0005774533.tif 000006
【図６】
0005774533.tif 000007
【図７】
0005774533.tif 000008
【図８】
0005774533.tif 000009
【図９】
0005774533.tif 000010
【図１０】
0005774533.tif 000011
【図１１】
0005774533.tif 000012
【図１２】
0005774533.tif 000013
【図１３】
0005774533.tif 000014
【図１４】
0005774533.tif 000015